(57)【要約】【課題】照明の明るさを求めた高輝度照明器具使用時に上昇する周辺温度の抑制と高輝度照明器具使用時の消費電力を抑制する照明器具を提供する。【解決手段】11の化粧カバー内に1のキセノンランプバーナー、６の反射板、２の電圧安定器・イグナイターを取り付け、３の点灯制御装置・バラストと４のＡＣ/ＤＣ変圧器を接続、または、１５のＡＣ／ＤＣ変圧器・バラスト一体型装置を接続する。前面に１２のランプカバーを取り付け、１１の化粧カバーおよび１２のランプカバーに５のスリットを設ける。【選択図】図１
0003128902.tif 000002
【実用新案登録請求の範囲】
【請求項１】
直流式キセノンランプ照明装置構成部品とＡＣ／ＤＣ変圧器を使用することを特徴とする照明器具
【請求項２】
前記直流式キセノンランプ照明装置構成部品内のバラストと前記ＡＣ／ＤＣ変圧器が一体型装置に収納されていることを特徴とする照明器具
【請求項３】
前記直流式キセノンランプ照明装置構成部品が１２Ｖ用であることを特徴とする、請求項１項又は２項記載の照明器具
【考案の詳細な説明】
【技術分野】
【０００１】
本考案は、例えば、車両用に使用される直流式キセノンランプ照明装置構成部品とＡＣ／ＤＣ変圧器を使用した、周辺温度の上昇を抑え、高輝度かつ省電力効果を持つ照明に関するものである。
【背景技術】
【０００２】
従来の照明器具は、対象物を明るく照らすため、または高い色温度を求めるために白熱灯・蛍光灯・ハロゲンランプまたはメタルハライドライトを使用している。
【０００３】
しかし、照明の明るさ(単位：ルーメン)または、高い色温度(単位：ケルビン)を求めたとき、白熱灯や蛍光灯では高輝度の明るさを得るのは不可能で、ハロゲンランプやメタルハライドライトではワット数の上昇に比例して周辺温度は上昇し、また、消費電力も上昇するという欠点があった。
【０００４】
一般家庭や商店において、この欠点は周辺温度を冷却する必要があり、設備全体の省スペース化と省コスト化に大きな障害である。具体的には、冷却装置の設置費用や設置場所の確保および電力使用量上昇などの問題があった。
【０００５】
特に観賞魚用水槽やいけすの照明として使用する際には、水槽内の生物や、設置物をよりきれいに照らすために、高い色温度が求められるが、従来の照明器具は、高い色温度を得るためにハロゲンランプまたはメタルハライドライトを使用している。
【０００６】
ハロゲンランプやメタルハライドライトの水槽照明使用時には、水温の上昇が水槽内の生物に与える影響を回避するため、冷却装置は大掛かりなものにならざるを得ず、水温上昇を極力抑えることの出来る照明装置は水生動植物を展示する際に特に望まれている。特許一郎著  「ハンドスキャナのいろいろ」特許出版  ２００３年
【非特許文献１】「月間アクアライフ１０月号増刊  マリンアクアリストＮｏ．３７」（株）マリン企画  平成１７年１０月２５日発行
【非特許文献２】「世界の海水魚４５０  ２００６年版」  成美堂出版  ２００５年７月２０日発行
【考案の開示】
【考案が解決しようとする課題】
【０００７】
解決しようとする問題点は、ハロゲンランプやメタルハライドライトを使用した時に、明るさ（単位：ルーメン）または色温度(単位：ケルビン)を上げると周辺温度が上昇する点と、消費電力が上昇する点である。
【課題を解決するための手段】
【０００８】
本考案は、明るさ（単位：ルーメン）または色温度（単位：ケルビン）を上げても周辺温度の上昇が少なく省電力な照明器具を製作するため、一般的に車両用に使用され、キセノンランプバーナー・イグナイター・バラストから成る、直流式キセノンランプ照明装置構成部品とＡＣ／ＤＣ変圧器を使用することを最も主要な特徴とする。
【考案の効果】
【０００９】
本考案の照明器具は、低電圧の直流式キセノンランプ照明装置構成部品を使用するため、ＡＣ/ＤＣ変圧器を接続して一般家庭用電源に接続しても高輝度の明るさと高単位の色温度を得られ、且つ周辺温度の上昇を抑え、また消費電力を抑えられるという利点がある。
【００１０】
直流式キセノンランプ照明装置には１２Ｖ用や２４Ｖ用がある。２４Ｖ用を使用しても十分な効果があるが、特に１２Ｖ用を使用すると、より一層の効果が得られる。
【考案を実施するための最良の形態】
【００１１】
明るさを担保したうえで、周辺温度の上昇を抑え、且つ電力消費を抑えるという目的を、ＡＣ／ＤＣ変圧器を接続した１２Ｖ用直流式キセノンランプ照明装置構成部品を使用することで実現した。
【００１２】
１２Ｖ用直流式キセノンランプ照明装置構成部品とＡＣ／ＤＣ変圧器を独立して接続することで、変圧器の許容限度まで１２Ｖ用直流式キセノンランプ照明装置構成部品を増設することができる照明装置が実現した。
【００１３】
また、１２Ｖ用直流式キセノンランプ照明装置構成部品の一部であるバラスト（点灯制御装置）とＡＣ／ＤＣ変圧器を一体化した装置を使用することで、全体的に省スペースな照明装置が実現した。
【実施例１】
【００１４】
図１は、本考案装置の１実施例である。直流電源である１２Ｖ用キセノンランプ照明装置構成部品を使用するため、電源を交流へ変更しまた電圧を変更するための4のＡＣ／ＤＣ変圧器を１３の配線で接続し、重量のある３の点灯制御装置・バラストを床面または設置した置き台に据え付けることでランプ全体の重量を軽減する。
【００１５】
１１の化粧カバー横部にある８のバーナー取り付けおよび交換用穴から発光部である１のキセノンランプバーナーを挿入し、7のバーナー固定用ステーを通して1のキセノンランプバーナーを固定する。
【００１６】
２の電圧安定器・イグナイターを６の反射板横に設けた１７の電圧安定器・イグナイター収納スペースに取り付け、１１の化粧カバー、１２のランプカバーおよび６の反射板は、１のキセノンランプバーナーの放熱を拡散させるために５のスリットを設け、さらに温度上昇を抑える。１２のランプカバーは1のキセノンランプバーナーに直接触れるのを防ぐ。
【００１７】
１６の吊り下げ用フックを使用し、被照射物の上部より吊り下げる。
【００１８】
４のＡＣ／ＤＣ変圧器に、変圧器許容限度内で、配線１３ａ・１３ｂを接続して３ａ・３ｂの点灯制御装置・バラストに続く任意の台数の増設用キセノンランプ照明装置を接続することができる。
【００１９】
４のＡＣ／ＤＣ変圧器に付属した１４のコンセントプラグを家庭用電源に接続し通電する。また、１９のＡＣ/ＤＣ変圧器付属ＯＮ／ＯＦＦスイッチを使って１４のコンセントプラグの抜き差しをせずに通電を制御できる。
【実施例２】
【００２０】
図２は、本考案装置の１実施例である。直流電源である１２Ｖ用キセノンランプ照明装置構成部品を使用するため、電源を交流へ変更しまた電圧を変更するための4のＡＣ／ＤＣ変圧器を１３の配線で接続し、重量のある３の点灯制御装置・バラストを床面または設置した置き台に据え付けることでランプ全体の重量を軽減する。
【００２１】
１１の化粧カバー横部にある８のバーナー取り付けおよび交換用穴から発光部である１のキセノンランプバーナーを挿入し、７のバーナー固定用ステーを通して1のキセノンランプバーナーを固定する。
【００２２】
２の電圧安定器・イグナイターを６の反射板の裏に取り付け、１１の化粧カバー、１２のランプカバーおよび６の反射板は、１のキセノンランプバーナーの放熱を拡散させるために５のスリットを設け、さらに温度上昇を抑える。１２のランプカバーは1のキセノンランプバーナーに直接触れるのを防ぐ。
【００２３】
９の支柱はフレキシブルパイプを使用して自由に照明の方向を変更可能にし、１０の固定用クランプを使用して水槽等の縁に取り付け固定する。
【００２４】
４のＡＣ／ＤＣ変圧器に、変圧器許容限度内で、配線１３ａ・１３ｂを接続して３ａ・３ｂの点灯制御装置・バラストに続く任意の台数の増設用キセノンランプ照明装置を接続することができる。
【００２５】
４のＡＣ／ＤＣ変圧器に付属した１４のコンセントプラグを家庭用電源に接続し通電する。また、１９のＡＣ/ＤＣ変圧器付属ＯＮ／ＯＦＦスイッチを使って１４のコンセントプラグの抜き差しをせずに通電を制御できる。 
【実施例３】
【００２６】
図３は、本考案装置の１実施例である。直流電源である１２Ｖ用キセノンランプ照明装置構成部品を使用するため、電源を交流へ変更し、また電圧を変更するための１５のＡＣ／ＤＣ変圧器・バラスト一体型装置を床面または設置した置き台に据え付けることでランプ全体の重量を軽減し、照明装置全体の省スペース化を実現する。
【００２７】
１１の化粧カバー横部にある８のバーナー取り付けおよび交換用穴から発光部である１のキセノンランプバーナーを挿入し、7のバーナー固定用ステーを通して1のキセノンランプバーナーを固定する。
【００２８】
２の電圧安定器・イグナイターを６の反射板の裏に取り付け、１１の化粧カバー、１２のランプカバーおよび６の反射板は、１のキセノンランプバーナーの放熱を拡散させるために５のスリットを設け、さらに温度上昇を抑える。１２のランプカバーは1のキセノンランプバーナーに直接触れるのを防ぐ。
【００２９】
９の支柱はフレキシブルパイプを使用して自由に照明の方向を変更可能にし、１０の固定用クランプを使用して水槽等の縁に取り付け固定する。
【００３０】
１５のＡＣ／ＤＣ変圧器・バラスと一体型装置に付属した１４のコンセントプラグを家庭用電源に接続し通電する。また、１８のＯＮ／ＯＦＦスイッチを使って１４のコンセントプラグの抜き差しをせずに通電を制御できる。
【実施例４】
【００３１】
図４は、本考案装置の１実施例である。直流電源である１２Ｖ用キセノンランプ照明装置構成部品を使用するため、電源を交流へ変更し、また電圧を変更するための１５のＡＣ／ＤＣ変圧器・バラスト一体型装置を床面または設置した置き台に据え付けることでランプ全体の重量を軽減し、照明装置全体の省スペース化を実現する。
【００３２】
１１の化粧カバー横部にある８のバーナー取り付けおよび交換用穴から１のキセノンランプバーナーを挿入し、7のバーナー固定用ステーを通して発光部である1のキセノンランプバーナーを固定する。
【００３３】
２の電圧安定器・イグナイターを６の反射板横に設けた１７の電圧安定器・イグナイター収納スペースに取り付け、１１の化粧カバー、１２のランプカバーおよび６の反射板は、１のキセノンランプバーナーの放熱を拡散させるために５のスリットを設け、さらに温度上昇を抑える。１２のランプカバーは1のキセノンランプバーナーに直接触れるのを防ぐ。
【００３４】
１６の吊り下げ用フックを使用し、被照射物の上部より吊り下げる。
【００３５】
１５のＡＣ／ＤＣ変圧器・バラスト一体型装置に付属した１４のコンセントプラグを家庭用電源に接続し通電する。また、１８のＯＮ／ＯＦＦスイッチを使って１４のコンセントプラグの抜き差しをせずに通電を制御できる。
【産業上の利用可能性】
【００３６】
鑑賞魚用水槽の照明やショーウインドウの照明など、一般の家庭用電灯では照明効果が不十分な器具や場所での高輝度照明時に周辺温度の上昇を抑え、電力消費も抑えられるので、いろいろな場面での利用が可能である。
【図面の簡単な説明】
【００３７】
【図１】ランプ増設型照明器具を用いた実施例を示す説明図である。
【図２】ランプ増設型照明器具を用いた実施例を示す説明図である。
【図３】バラスト・変圧器一体型照明器具を用いた実施例を示す説明図である。
【図４】バラスト・変圧器一体型照明器具を用いた実施例を示す説明図である。
【符号の説明】
【００３８】
１    キセノンランプバーナー
２    電圧安定器・イグナイター
３    点灯制御装置・バラスト
４    ＡＣ／ＤＣ変圧器
５    スリット
６    反射板
７    バーナー固定用ステー
８    バーナー取り付けおよび交換用穴
９    支柱
１０  固定用クランプ
１１  化粧カバー
１２  ランプカバー
１３  配線
１４  コンセントプラグ
１５  ＡＣ／ＤＣ変圧器・バラスト一体型装置
１６  吊り下げ用フック
１７  電圧安定器・イグナイター収納スペース
１８  ＯＮ／ＯＦＦスイッチ
１９  ＡＣ／ＤＣ変圧器付属ＯＮ／ＯＦＦスイッチ
【図１】
0003128902.tif 000003
【図２】
0003128902.tif 000004
【図３】
0003128902.tif 000005
【図４】
0003128902.tif 000006
【手続補正書】
【提出日】平成18年11月16日(2006.11.16)
【手続補正１】
【補正対象書類名】実用新案登録請求の範囲
【補正対象項目名】請求項２
【補正方法】変更
【補正の内容】
【請求項２】
前記直流式キセノンランプ照明装置構成部品内に有するバラストと前記ＡＣ／ＤＣ変圧器が一体型装置に収納されていることを特徴とする、請求項1項記載の照明器具